【手続補正書】
【提出日】平成19年6月27日(2007.6.27)
【手続補正１】
【補正対象書類名】明細書
【補正対象項目名】特許請求の範囲
【補正方法】変更
【補正の内容】
【特許請求の範囲】
【請求項１】  Ｘ線撮影のためのＸ線撮像装置であって、
外囲器と、
前記外囲器に収容された、支持板と、前記支持板のＸ線入射側に配置されたＸ線を電気信号に変換する手段を備えたＸ線像検出パネルと、前記支持板のＸ線入射側とは反対側に配置された弾持手段と、を有し、
前記弾持手段は、前記Ｘ線像検出パネルを前記外囲器内面に向けて弾持していることを特徴とするＸ線撮像装置。
【請求項２】  前記外囲器に収容された、前記Ｘ線像検出パネルに係る電気信号を処理する電子部品が実装されている電気回路基板を更に有することを特徴とする請求項１に記載のＸ線撮像装置。
【請求項３】  前記電気回路基板は、前記支持板に固定されていることを特徴とする請求項２に記載のＸ線撮像装置。
【請求項４】  前記電気回路基板は、前記外囲器に固定されていることを特徴とする請求項２に記載のＸ線撮像装置。
【請求項５】  前記弾持手段は、前記電子部品と接触していないことを特徴とする請求項２に記載のＸ線撮像装置。
【請求項６】  前記弾持手段は、弾性体としての、圧縮コイルスプリング、板バネあるいはゴム質部材で構成されていることを特徴とする請求項１ないし５の何れか１項に記載のＸ線撮像装置。
【請求項７】  前記弾持手段は、弾性体として、バネ定数が非線形なバネ部材であることを特徴とする請求項１ないし６の何れか１項に記載のＸ線撮像装置。
【請求項８】  前記バネ部材は、素線間の距離が一定でない不等ピッチの圧縮コイルスプリングであることを特徴とする請求項７に記載のＸ線撮像装置。
【請求項９】  前記バネ部材は、円錐圧縮コイルスプリングであることを特徴とする請求項７に記載のＸ線撮像装置。
【請求項１０】  前記Ｘ線像検出パネルは、Ｘ線を電気信号に変換する手段のＸ線入射側に蛍光板を有し、前記蛍光板が前記外囲器と接触するように前記Ｘ線像検出パネルが弾持されていることを特徴とする請求項１に記載のＸ線撮像装置。
【請求項１１】  前記Ｘ線像検出パネルが、緩衝材を介して、前記外囲器内面に弾接されていることを特徴とする請求項１ないし５の何れか１項に記載のＸ線撮像装置。
【請求項１２】  前記弾持手段による前記支持板の可動範囲を規制するストッパーが装備されていることを特徴とする請求項１ないし５の何れか１項に記載のＸ線撮像装置。
【請求項１３】  Ｘ線撮影のためのＸ線撮像装置であって、
外囲器と、
前記外囲器に収容された、Ｘ線を電気信号に変換する手段を備えたＸ線像検出パネルと、前記Ｘ線像検出パネルを収容する内ケースと、該内ケースをＸ線照射側の外囲器内面に向けて弾持する弾持手段と、を有することを特徴とするＸ線撮像装置。
【請求項１４】  前記内ケースに収容された、前記Ｘ線像検出パネルを支持する支持板と、電気信号を処理する電子部品が実装されている電気回路基板を更に有することを特徴とする請求項１３に記載のＸ線撮像装置。
【請求項１５】  前記弾持手段は、外囲器内面の上面、側面および下面の少なくとも１面に位置して、配置されていることを特徴とする請求項１３または１４に記載のＸ線撮像装置。
【請求項１６】  前記弾持手段は、弾性体としての、１個以上の圧縮コイルスプリングあるいはゴム質部材で構成されていることを特徴とする請求項１３ないし１５の何れか１項に記載のＸ線撮像装置。
【請求項１７】  前記内ケースは、少なくともＸ線が入射する側が開口されている箱形形状であることを特徴とする請求項１３ないし１６の何れか１項に記載のＸ線撮像装置。
【請求項１８】  前記内ケースは、その開口部にフランジ部を備えていて、該フランジ部を介して前記弾持手段に支持されていることを特徴とする請求項１３ないし１７の何れか１項に記載のＸ線撮像装置。
【請求項１９】  前記Ｘ線像検出パネルが、弾性部材を介して、Ｘ線照射側の前記外囲器内面に弾接されていることを特徴とする請求項１３ないし１８の何れか１項に記載のＸ線撮像装置。
【手続補正２】
【補正対象書類名】明細書
【補正対象項目名】００１２
【補正方法】変更
【補正の内容】
【００１２】
【課題を解決するための手段】
このため、本発明のＸ線撮像装置では、Ｘ線撮影のためのＸ線撮像装置であって、外囲器と、前記外囲器に収容された、支持板と、前記支持板のＸ線入射側に配置されたＸ線を電気信号に変換する手段を備えたＸ線像検出パネルと、前記支持板のＸ線入射側とは反対側に配置された弾持手段と、を有し、前記弾持手段は、前記Ｘ線像検出パネルを前記外囲器内面に向けて弾持していることを特徴とする。
【手続補正３】
【補正対象書類名】明細書
【補正対象項目名】００１３
【補正方法】変更
【補正の内容】
【００１３】
この場合、発明の実施の形態として、前記外囲器に収容された、前記Ｘ線像検出パネルに係る電気信号を処理する電子部品が実装されている電気回路基板を更に有すること、前記電気回路基板は、前記支持板に固定されていること、前記外囲器に固定されていること、また、前記弾持手段は、前記電子部品と接触していないこと、弾性体としての、圧縮コイルスプリング、板バネあるいはゴム質部材で構成されていること、更に要すれば、前記弾持手段は、弾性体として、バネ定数が非線形なバネ部材であり、また、前記バネ部材は、素線間の距離が一定でない不等ピッチの圧縮コイルスプリングであり、あるいは、円錐圧縮コイルスプリングであることは、それぞれ有効である。
【手続補正４】
【補正対象書類名】明細書
【補正対象項目名】００１５
【補正方法】変更
【補正の内容】
【００１５】
また、本発明のＸ線撮像装置では、Ｘ線撮影のためのＸ線撮像装置であって、
外囲器と、前記外囲器に収容された、Ｘ線を電気信号に変換する手段を備えたＸ線像検出パネルと、前記Ｘ線像検出パネルを収容する内ケースと、該内ケースをＸ線照射側の外囲器内面に向けて弾持する弾持手段と、を有することを特徴とする。
【手続補正５】
【補正対象書類名】明細書
【補正対象項目名】００１６
【補正方法】変更
【補正の内容】
【００１６】
この場合、本発明の実施の形態として、前記内ケースに収容された、前記Ｘ線像検出パネルを支持する支持板と、電気信号を処理する電子部品が実装されている電気回路基板を更に有すること、前記弾持手段は、外囲器内面の上面、側面および下面の少なくとも１面に位置して、配置されていること、前記弾持手段は、弾性体としての、１個以上の圧縮コイルスプリングあるいはゴム質部材で構成されていること、前記内ケースは、少なくともＸ線が入射する側が開口されている箱形形状であること、更には、前記内ケースは、その開口部にフランジ部を備えていて、該フランジ部を介して前記弾持手段に支持されていること、また、前記Ｘ線像検出パネルが、弾性部材を介して、Ｘ線照射側の前記外囲器内面に弾接されていることが、有効である。
【手続補正６】
【補正対象書類名】明細書
【補正対象項目名】００４５
【補正方法】変更
【補正の内容】
【００４５】
この構成では、電気回路基板５が支持板４に支持されている点で、第２、第４、および第６の実施の形態に類似している。従って、先述の実施の形態で共通する作用効果の他に、Ｘ線像検出パネル１、支持板４および電気回路基板５が内ケース１４でガードされているために、上下からの振動吸収だけでなく、左右の振れでも、保護の効果が得られる。また、側面で、弾性部材１１ａにより、上下の緩衝をするので、先述の実施の形態におけるように、圧縮コイルスプリングを、筐体２の内底面に設置する場合と異なり、筐体の厚さ方向での縮小を効果的に実現できる。
【手続補正７】
【補正対象書類名】明細書
【補正対象項目名】００４９
【補正方法】変更
【補正の内容】
【００４９】
（第１１の実施の形態）
この実施の形態は、図１４に示すように、弾持手段１１として、圧縮コイルスプリング１１ｅを用いている以外には、第１０の実施の形態と同様な構成であって、その作用効果も同様である。
【手続補正８】
【補正対象書類名】明細書
【補正対象項目名】図面の簡単な説明
【補正方法】変更
【補正の内容】
【図面の簡単な説明】
【図１】
本発明に係わる第１の実施の形態を示す断面図である。
【図２】
本発明に係わる第２の実施の形態を示す断面図である。
【図３】
本発明に係わる第３の実施の形態を示す断面図である。
【図４】
本発明に係わる第４の実施の形態を示す断面図である。
【図５】
本発明に係わる第５の実施の形態を示す断面図である。
【図６】
同じく、使用態様を示す断面図である。
【図７】
本発明に係わる弾持手段の具体例および性能を示す図である。
【図８】
本発明に係わる第６の実施の形態を示す断面図である。
【図９】
同じく、使用態様を示す断面図である。
【図１０】
本発明に係わる第７の実施の形態を示す断面図である。
【図１１】
本発明に係わる第８の実施の形態を示す断面図である。
【図１２】
本発明に係わる第９の実施の形態を示す断面図である。
【図１３】
本発明に係わる第１０の実施の形態を示す断面図である。
【図１４】
本発明に係わる第１１の実施の形態を示す断面図である。
【図１５】
従来のＸ線撮像装置の構造を示す断面図である。
【符号の説明】
１  Ｘ線像検出パネル
１ａ  蛍光板
１ｂ  光電変換素子
１ｃ  基板
２  筐体
２ａ  突起
３  筐体蓋
４  支持板
４ａ  スペーサ
４ｂ  突起
５  回路基板
５ａ  電子部品
６  フレキシブル回路基板
７  緩衝材
８ａ  圧縮コイルスプリング
８ｂ  板バネ
９  荷重
１０  弾性部材
１１ａ  弾性部材
１１ｂ  圧縮コイルスプリング
１１ｃ  弾性部材
１１ｄ  弾性部材
１１ｅ  圧縮コイルスプリング
１４  内ケース
１４ａ  折り曲げ部（支持フランジ）
【手続補正９】
【補正対象書類名】図面
【補正対象項目名】図１１
【補正方法】変更
【補正の内容】
【図１１】
2002014168.tif 000001
【手続補正１０】
【補正対象書類名】図面
【補正対象項目名】図１２
【補正方法】変更
【補正の内容】
【図１２】
2002014168.tif 000002
【手続補正１１】
【補正対象書類名】図面
【補正対象項目名】図１４
【補正方法】変更
【補正の内容】
【図１４】
2002014168.tif 000003